(57)【特許請求の範囲】
【請求項１】
上面を開口し内部に貯蔵室を有する断熱箱体と、この断熱箱体の上部に立設し上面の開口を傾斜して閉塞する透明扉と、前記断熱箱体の貯蔵室側の上部に設けられた上面板と、前記貯蔵室内を冷却する冷却装置とを備えた低温ショーケースにおいて、前記上面板の上面には、前記透明扉の傾斜角度に比較してより直立した角度の表示部を有するポップカード支持具が載置され、前記表示部の上部は前記透明扉に近接又は接触し、ポップカード支持具と透明扉と上面板にて断熱空間を形成したことを特徴とする低温ショーケース。
【請求項２】
前記上面板の下面には、発熱体が設けられていることを特徴とする請求項１の低温ショーケース。
【請求項３】
前記ポップカード支持具は、その表示部が回動自在であることを特徴とする請求項１又は請求項２の低温ショーケース。
【請求項４】
前記ポップカード支持具は、前記透明扉の幅と略同等の長さの複数のものであることを特徴とする請求項３の低温ショーケース。
【請求項５】
前記ポップカード支持具の表示部は、前記透明扉の幅と略同等の長さに分割されていることを特徴とする請求項３の低温ショーケース。
【発明の詳細な説明】
【０００１】
【発明の属する技術分野】
本発明は、開口を閉塞する透明扉を備え、貯蔵室にポップカード支持具を備えた低温ショーケースに関する。
【０００２】
【従来の技術】
従来この種低温ショーケースは、例えば特開平７−２７５０９４号公報に示されるように、貯蔵室に形成した開口は、ガラス等の引き戸式透明扉にて開閉自在に閉塞され、この貯蔵室内は冷却器によって所定の温度に冷却され、貯蔵室には食品やアイスクリームなどの商品が陳列保存される。係る低温ショーケースにおいて、天板下部にはポップカードがテープにより固定され、貯蔵室内の商品の宣伝や価格を表示していた。
【０００３】
【発明が解決しようとする課題】
ここで、上述の如く、ポップカードを天井に設けた場合、貯蔵室内の商品から遠いために、購買者が商品とその価格とを対応させ難く、価格が知得されず、また宣伝効果も低減するという問題があった。
【０００４】
また、低温ショーケースの貯蔵室内は所定の冷蔵、若しくは冷凍温度に冷却される。そして、一方のダクト板上端の吐出口から他方のダクト板上端の吸込口に向かって吐出された冷気は、そのほとんどはダクト内に吸い込まれるが、その一部は、上面板の上方を流れ、樹脂扉を冷却する。そのため、樹脂扉の外面には外気中の湿気が結露となって付着し、貯蔵室内の視認性を悪化させる問題があった。そこで、従来、樹脂扉の表面に電気ヒータを取り付け、このヒータによって扉表面を加熱して上記結露の発生を防止していたが、部品点数が増加して扉のコストが高騰すると共に、引き戸式の扉では採用が困難（事実上不可能）となる問題があった。
【０００５】
本発明は、係る従来の技術的課題を解決するために成されたものであり、簡単な構成のポップカード支持具によって、貯蔵室内の商品の宣伝や価格を見やすく表示することができ、しかも透明扉外面への結露を防止若しくは抑制することにより貯蔵室内の視認性を向上させることができる低温ショーケースを提供することを目的とする。
【０００６】
【課題を解決するための手段】
請求項１の発明の低温ショーケースは、上面を開口し内部に貯蔵室を有する断熱箱体と、この断熱箱体の上部に立設し、上面の開口を傾斜して閉塞する透明扉と、前記断熱箱体の貯蔵室側の上部に設けられた上面板と、前記貯蔵室内を冷却する冷却装置とを備えたものであって、前記上面板の上面には、前記透明扉の傾斜角度に比較してより直立した角度の表示部を有するポップカード支持具が載置され、前記表示部の上部は前記透明扉に近接又は接触し、ポップカード支持具と透明扉と上面板にて断熱空間を形成したものである。
【０００７】
請求項１の発明によれば、貯蔵室内の商品の宣伝や価格を見やすく表示することができるとともに、ポップカード支持具と透明扉と上面板にて断熱空間を形成してポップカード支持具の表示部及び透明扉外面への結露を防止若しくは抑制することにより貯蔵室内の視認性を向上させるがことができる。
【０００８】
しかも、透明扉外面への結露は、その下部ほど結露し易く商品の見易さが阻害されるので、下部の結露を防止することによる効果は絶大なものとなる。
【０００９】
請求項２の発明の低温ショーケースは、請求項１において、前記上面板の下面には、発熱体が設けられているものである。
【００１０】
請求項２の発明によれば、前記上面板の下面に設けられた発熱体によりポップカード支持具と透明扉とにより形成される断熱空間が加熱されることにより、透明扉外面とポップカード支持具の透明扉側が加熱される。したがって、請求項１の発明に加えて、さらに、ポップカード支持具の透明扉側及び透明扉外面への結露を防止若しくは抑制し、しかも貯蔵室内の商品の宣伝や価格を見やすく表示することができ貯蔵室内の視認性を向上させるがことができる。
【００１１】
また、従来の如き電気ヒータ等を扉に取り付ける必要が無くなるので、部品点数の削減とコストの著しい低減を図ることができるようになる。
【００１２】
また、請求項３の発明の低温ショーケースは、請求項１又は請求項２において、前記ポップカード支持具は、その表示部が回動自在のものである。
【００１３】
請求項３の発明によれば、ポップカード支持具の表示部が回動し、貯蔵室側に倒れるので、通常は、貯蔵室内の商品の宣伝や価格を見やすく表示し、透明扉外面への結露を防止若しくは抑制することができるとともに、商品を貯蔵室から取り出す際には、その取り出しを阻害することがない。
【００１４】
請求項４の発明の低温ショーケースは、請求項３において、前記ポップカード支持具は、前記透明扉の幅と略同等の長さの複数のものである。
【００１５】
請求項５の発明の低温ショーケースは、請求項３において、前記ポップカード支持具の表示部は、前記透明扉の幅と略同等の長さに分割されているものである。
【００１６】
請求項４又は請求項５の発明によれば、商品を取り出す際には、透明扉の幅と略同等の長さのポップカード支持具の表示部のみが回動し、貯蔵室側に倒れるので、ポップカード支持具の当該表示部と透明扉とで形成する断熱空間は冷却されるが、他の断熱空間は冷却され難い。したがって、請求項３の発明に加えて、さらに有効に透明扉外面への結露を防止若しくは抑制することができる。
【００１７】
【実施の形態】
以下、図面に基づき本発明の実施例を詳述する。図１は本発明を適用する低温ショーケース１の斜視図、図２は低温ショーケース１の縦断側面図、図３は低温ショーケース１上部の縦断側面図をそれぞれ示している。各図において、低温ショーケース１は例えばコンビニエンスストア等において、アイスクリーム等を陳列保存するための冷凍ショーケースであり、上方に開放した横長矩形状の断熱箱体２から構成されている。この断熱箱体２は、金属製の外箱３と、この外箱３内に間隔を存して組み込まれた金属製の内箱６と、両箱３、６の上端を連結する樹脂製のブレーカ４と、これら両箱３、６及びブレーカ４間に現場発泡方式にて充填された発泡ポリウレタン等の断熱材７とから構成されている。
【００１８】
前記内箱６の前後面内側には間隔を存してダクト板８、９が取り付けられており、このダクト板８、９の上端は内方に湾曲して折曲されている。更に、ダクト板８、９の下端間には底板１１が着脱可能に架設され、これによって、内箱６の内側には底面から前後に立ち上がる一連のダクト１２が構成されると共に、これらダクト板８、９と底板１１の内側に貯蔵室２２が画成される。一方、前記断熱箱体２の底壁１３は前部に低位部１３Ａと、後部に高位部１３Ｂを有した段差形状とされており、前記底板１１は前記高位部１３Ｂより上方に位置する。
【００１９】
そして、前記低位部１３Ａの上面にはドレンパン１４が設けられ、このドレンパン１４の最も低い位置には断熱箱体２外下方に連通した排水孔１６が形成されている。このドレンパン１４上には前記ダクト１２内に位置して冷却装置を構成する横長のプレートフィン型冷却器１７が配設され、この冷却器１７の前側に設けたファンケース１８内には吸込型のプロペラファンから成る送風機１９が取り付けられている。
【００２０】
前記冷却器１７の後側となる高位部１３Ｂと低位部１３Ａの段差部分は上部が冷却器１７から離間するように傾斜面１３Ｃとされている。また、前記ダクト板９の上端は吐出口９Ａ、ダクト板８の上端は吸込口８Ａとされると共に、吐出口９Ａには内側に湾曲した風向板２１、２１が所定間隔で取り付けられている。
【００２１】
一方、断熱箱体２の下端前後には多数の透孔２４・・が穿設されたキックプレート２６、２６が取り付けられ、このキックプレート２６、２６間に位置して断熱箱体２の下方には機械室２７が構成されている。そして、前記高位部１３Ｂ下方に位置する機械室２７内には、前記冷却器１７と共に冷却装置の周知の冷凍サイクルを構成する圧縮機（図示せず）、凝縮器２９及び凝縮器用送風機３１、電装箱（図示せず）等が配設されると共に、この機械室２７の後面は複数枚のパネル３６〜３８にて開閉自在に閉塞され、更に、パネル３７、３８にはスリット３９・・が複数形成されている。
【００２２】
前記圧縮機及び送風機１９、３１が運転されると、冷却器１７にて冷却された冷気は傾斜面１３Ｃからダクト１２内を後方に吹き上げられ、ダクト板９上端の吐出口９Ａから貯蔵室２２の上部に向かって吐出される。貯蔵室２２内を循環した冷気はダクト板８上端の吸込口８Ａからダクト１２内に吸い込まれ、送風機１９に帰還する循環（図２中破線矢印で示す）を行う。これによって、貯蔵室２２内は例えば−２０℃等の所定の冷凍温度に冷却される。
【００２３】
他方、前記断熱箱体２の開口両側には透明アクリル樹脂の厚板から成る側板４１、４１が立設されている。この側板４１、４１は前後辺４１Ａ、４１Ｂの上部が近接するように傾斜した略山型を呈しており、それらの上端部間には貯蔵室２２のステンレス製天板４２がこれもステンレス製の飾り４３、４３を介して側方からネジ止めされている。
【００２４】
この天板４２は側板４１、４１上部の形状に沿った断面山型形状を呈しており、その下面には前後のステンレス製上部支持板４４、４４を介してこれもステンレス製の反射板４６が取り付けられている。尚、上部支持板４４、４４は反射板４６の一部を構成するものとする。この上部支持板４４、４４は天板４２下面と所定の間隔を存しており、その先端は側板４１の前後辺４１Ａ、４１Ｂの傾斜に略沿ってそれぞれ下方に低く傾斜している。
【００２５】
前記反射板４６の前後側面４６Ａ、４６Ａは図３及び図６に示す如く上部支持板４４、４４の下方に間隔を存して外側に向け低く傾斜しており、その下面はクランク状に屈曲されて、下方に開放した凹所４７と、上方に開放した凹所４８が前後に並設されている。そして、前記下方に開放した凹所４７内にはジャケット４９に挿入された横長の蛍光灯５１が収納配設され、反射板４６の下側に位置すると共に、前記上方に開放した凹所４８内には蛍光灯５１を点灯させるための安定器５２が配設され、天板４２と反射板４６間に位置している。
【００２６】
また、前記両上部支持板４４、４４の上端部、即ち、反射板４６の天板４２への取り付け基部には通路としての複数の透孔（長孔）５３・・・が穿設されており、これによって、前記安定器５２が収納された凹所４８内（反射板４６内）と上部支持板４４、４４外面（反射板４６外）とは連通されている。
【００２７】
一方、断熱箱体２の前後開口縁の内側には、吸込口８Ａ及び吐出口９Ａの上方に位置する上風向板５６、５６がブレーカ４内面にそれぞれ取り付けられており、各上風向板５６、５６の上側には間隔を存してステンレス製の上面板５７、５７がそれぞれ組み合わせられている。これら上風向板５６、５６及び上面板５７、５７間には上断熱材５８、５８が挿入され、この上断熱材５８、５８と上面板５７、５７間には結露防止ヒータ５９、５９が配設されている。
【００２８】
前記上面板５７、５７の外側（各前後方向）は傾斜して降下し、略Ｚ字状に折曲されながら、ブレーカ４の上面中央部まで延在している。また、上面板５７、５７の下側にはレール板６１、６１がそれぞれ挿入され、上面板５７の先端から外側に向けて傾斜しながら立ち上がり、外端は再び降下するよう折曲されている。そして、このレール板６１、６１の外端には外箱３に渡る飾り板６２が取り付けられている。
【００２９】
前記各上面板５７、５７の外側部分は上述の如く略Ｚ字状（図４に拡大して示す）に折曲されることにより、前記反射板４６の側面４６Ａ、４６Ａ方向に面した左右に渡る内側レール面６３Ａを形成しており、前記レール板６１、６１はこの内側レール面６３Ａの外側に平行して前記上部支持板４４、４４方向に面した外側レール面６３Ｂを形成している。内外側レール面６３Ａ、６３Ｂはそれぞれ所定の幅を有しており、これら内外側レール面６３Ａ、６３Ｂにて主レール６３が構成される。そして、これら主レール６３、６３と前記天板４２間において低温ショーケース１の貯蔵室２２は前後に開放（開口６４、６４）する。
【００３０】
係る構成により低温ショーケース１の貯蔵室２２の前後開口６４、６４上縁は下縁よりも奥方に位置して斜め上方に開放しており、前記主レール６３、６３はこれら開口６４、６４の下縁に位置し、前記上部支持板４４、４４及び反射板４６の側面４６Ａ、４６Ａは開口６４、６４の上縁に位置することになる。尚、６６は内側レール面６３Ａの内側に位置する上面板５７下端に穿設された結露水の排水孔である。
【００３１】
更に、この主レール６３、６３上にはレールとしてのステンレス製の補助レール７１が着脱自在に載置して取り付けられている。この補助レール７１は２枚のステンレス板を溶接することにより、略Ｗ字状に形成されており、それによって、前記主レール６３の内外側レール面６３Ａ、６３Ｂの幅よりも狭い幅を有した内外側レール面７１Ａ、７１Ｂが形成されている。また、この補助レール７１の表面にはフッ素系の樹脂（テフロン（登録商標）等）が塗装、或いはコーティングされている。
【００３２】
そして、図５に矢印で示す如く補助レール７１は主レール６３上に載置され、その状態で、前記内外側レール面７１Ａ、７１Ｂは、主レール６３の各レール面６３Ａ、６３Ｂの上外側に位置して、それぞれ前記反射板４６の側面４６Ａ、４６Ａ方向、及び、前記上部支持板４４、４４方向に面する。尚、各レール面７１Ａ、７１Ｂの下端部にはこれも結露水の排水孔７２、７２が穿設されている。
【００３３】
そして、係る補助レール７１の内外側レール面７１Ａ、７１Ｂ上には比較的厚さ寸法の薄い透明アクリル樹脂板から成る複数枚の引き戸式樹脂扉７３・・が摺動自在に載置支持される。この場合、実施例では内外に２枚ずつ前後合わせて８枚の樹脂扉７３が支持されると共に、内側レール面７１Ａに支持された樹脂扉７３の上部は図６に示す如く前記反射板４６側面４６Ａの外面に支持され、外側レール面７１Ｂに支持された樹脂扉７３の上部は前記上部支持板４４の透孔５３より下方における外面に支持される。そして、天板４２の前後部は透孔５３上方から側板４１の前後辺４１Ａ、４１Ｂの傾斜に沿って降下し、樹脂扉７３・・の上方まで延在する。
【００３４】
このとき、補助レール７１の内外側レール面７１Ａ、７１Ｂは狭幅であるため、樹脂扉７３・・は蛇行し難くなっている。また、実施例では補助レール７１の表面にフッ素系樹脂が塗装、或いはコーティングされており、更に、図４から明らかな如く、樹脂扉７３の下端内側角部が内外側レール面７１Ａ、７１Ｂに線接触し、図６から明らかな如く樹脂扉７３の上端内側角部が上部支持板４４或いは反射板４６の側面４６Ａに線接触するように構成しているので、樹脂扉７３と補助レール７１、或いは上部支持板４４、側面４６Ａとの摩擦抵抗は極めて低くなる。従って、樹脂扉７３・・の横移動（摺動）を極めて円滑に行えるようになり、それによって樹脂扉７３・・を極めて容易に開閉できるようになる。尚、図６に示す７７、７８はそれぞれ上部支持板４４と反射板４６の側面４６Ａに取り付けられた扉ストッパーである。
【００３５】
また、補助レール７１の内外側レール面７１Ａ、７１Ｂは上述の如く主レール６３の各レール面６３Ａ、６３Ｂの上外側に位置してそれぞれ前記反射板４６の側面４６Ａ、４６Ａ方向、及び、前記上部支持板４４、４４方向に面しているので、樹脂扉７３・・の傾斜は側板４１の前後面４１Ａ、４１Ｂの傾斜に略合致するようになる。
【００３６】
一方、前記蛍光灯５１は点灯して上方から貯蔵室２２内を照明し、内部に収納した商品を明るく照らし出すが、このとき、蛍光灯５１及び安定器５２は発熱する。この安定器５２及び蛍光灯５１（蛍光灯５１からの熱は反射板４６を介して）によって加熱された暖気は、図６中破線矢印で示す如く前後の透孔５３、５３から反射板４６外に流出し、天板４２に案内されて樹脂扉７３・・外面に流出する。
【００３７】
ここで、樹脂扉７３・・は貯蔵室２２内の冷気により冷却され、その外面には結露が生じ易くなっているが、前述の如く安定器５２からの暖気を樹脂扉７３・・の外面に導いているので、電気ヒータ等を用いること無く係る樹脂扉７３・・外面への結露の付着を防止若しくは抑制し、樹脂扉７３・・の視認性を良好に維持することができるようになる。また、安定器５２自体の放熱が促進され、過熱による損傷の発生等も防止される。
【００３８】
ここで、樹脂扉７３・・の内側には側板４１の後辺４１Ｂの傾斜に沿い、白色塩化ビニル製のパイプ８８が取り付けられている。このパイプ８８は、前記機械室２７内と反射板４６上方の空間とを連通しており、このパイプ８８内を通して前記蛍光灯５１へのリード線（図示せず）を前記電装箱から反射板４６上方に引き入れる。
【００３９】
このとき、断熱箱体２上方は周囲を透明な側板４１、４１或いは扉７３・・・にて囲繞されているが、パイプ８８は前述の如く扉７３の内側において、側板４１の後辺４１Ｂの傾斜に沿い設けられているので、外部から目立たなくなる。従って、低温ショーケース１の外観の悪化を最小限に抑えることが可能となる。
【００４０】
次に、ポップカード支持具９０について説明する。ポップカード支持具９０は、ホルダー取付具９１とポップカードホルダー９２とから構成される。ホルダー取付具９１は、硬質樹脂からなる載置部９３と、この載置部９３の先端から樹脂扉７３・・より急な傾斜の傾斜部９４とを有し、さらに、載置部９３と傾斜部９４との接合部９５は軟質樹脂により一体に形成されている。一方、ポップカードホルダー９２は、コ字状の挿入部９６と、ポップカード９８を挿入するための差込部９７を有し、全体としてＳ字状の形状であり、押出成形加工により形成されるものである。
【００４１】
ホルダー取付具９１とポップカードホルダー９２とは、共に略同一の幅寸法であり、断熱箱体２の開口６４両側に立設されている側板４１、４１の内面間の長さと略同等である。そして、ホルダー取付具９１の載置部９３は、前記上面板５７に載置された後、両面接着剤付きテープにより又はネジ止めにより固定されている。尚、このホルダー取付具９１の傾斜部９４はポップカードホルダー９２のコ字状の挿入部９６に挿入することにより、このホルダー取付具９１の接合部９５より上部は、ホルダー取付具９１、ポップカードホルダー９２及び後述するポップカード９８とが全体として表示部１００を構成する。そして、この状態で、ポップカードホルダー９２は、このポップカードホルダー９２の差込部９７の上端が樹脂扉７３・・の内面に接近し、略接触するような長さに設定されている。
【００４２】
ポップカード支持具９０に取り付けられるポップカード９８は、商品の宣伝、価格などを印刷した樹脂板から成り、その表示部を低温ショーケース１の外側になるようにポップカードホルダー９２の差込部９７に差し込んで使用する。このポップカード９８を差込部９７に差し込むことにより、前下がりに傾斜し、ポップカード９８の表示が見えやすくなる。
【００４３】
以上の構成により、上面板５７、樹脂扉７３・・及びホルダー取付具９１とは、略三角形の断熱空間９９を構成する。
【００４４】
ダクト板９上端の吐出口９Ａからダクト板８上端の吸込口８Ａに向かって吐出された冷気は、そのほとんどはダクト１２内に吸い込まれるが、その一部は、ホルダー取付具９１を冷却する。しかし、ホルダー取付具９１の傾斜部９４、ポップカードホルダー９２の挿入部９６及び差込部９７は、幾重にも重なり断熱されているため、ポップカード９８の差込部９７は結露を防止又は抑制される。また、樹脂扉７３・・の下部は、さらに、上面板５７、樹脂扉７３・・及びホルダー取付具９１とにより構成される略三角形の断熱空間９９により断熱されているため、いっそう結露が防止又は抑制される。
【００４５】
また、上面板５７の下面には結露防止ヒータ５９が設けられているため、前記断熱空間９９は尚いっそう加熱され、ポップカード９８の差込部９７と樹脂扉７３・・の下部は、さらに結露が防止又は抑制される。
【００４６】
さらに、ホルダー取付具９１は、載置部９３と傾斜部９４との接合部９５は軟質樹脂により一体に形成されているため、ポップカードホルダー９２が回動し、貯蔵室２２側に倒れるので、商品を貯蔵室２２から取り出す際にその取り出しを阻害することがない。
【００４７】
前記実施例では、ホルダー取付具９１とポップカードホルダー９２とは、断熱箱体２の開口６４両側に立設されている側板４１、４１の内面間と略同等であるが、例えば、図８に示す如く、前記樹脂扉７３・・の幅と略同等の長さのホルダー取付具９１を、上面板５７に直線状に複数並べて載置し、さらにこのホルダー取付具９１と略同一の長さのポップカードホルダー９２を、ホルダー取付具９１に挿入することにより、ポップカード支持具９０を構成した場合には、さらに次のようにも機能する。
【００４８】
ホルダー取付具９１の、載置部９３と傾斜部９４との接合部９５は軟質樹脂により一体に形成され、しかも樹脂扉７３・・と略同等の長さであるため、購買者が樹脂扉７３・・を開けて商品を取り出す際にこのポップカード支持具９０に接触した場合に、樹脂扉７３・・の幅と略同等の長さのポップカード支持具９０が回動し貯蔵室２２側に倒れるが、他のポップカード支持具９０は倒れない。したがって、ポップカード支持具９０の当該差込部と樹脂扉７３・・とで形成する断熱空間９９は冷却されるが、他の断熱空間９９は冷却され難いので、ポップカード支持具９０及び樹脂扉７３・・外面への結露をさらに有効に防止若しくは抑制することができると共に、商品を貯蔵室２２から取り出す際にその取り出しを阻害することがない。
【００４９】
また、ホルダー取付具９１とポップカードホルダー９２を、断熱箱体２の開口６４両側に立設されている側板４１、４１の内面間と略同等の長さとし、前記樹脂扉７３・・の幅と略同等の長さに分割し、上面板５７に載置し、さらにこの分割されているホルダー取付具９１と略同一の長さのポップカードホルダー９２を、ホルダー取付具９１に挿入してポップカード支持具９０を構成した場合にも、上記と同様に機能する。
【００５０】
尚、前記実施例では、ポップカード支持具９０は、低温ショーケース１の前面側の上面板５７に載置されている場合について説明したが、後面側の上面板５７に載置されている場合でも同様に機能する。
【００５１】
また、前記実施例では、ホルダー取付具９１の接合部９５は軟質樹脂を使用して一体にしているが、例えば、この軟質樹脂の接合部９５に代えてスプリング付きヒンジを複数使用し、載置部９３と傾斜部９４を連結してホルダー取付具９１を構成した場合も上記と同様に機能する。
【００５２】
【発明の効果】
以上詳述した如く、請求項１の発明によれば、簡単な構成のポップカード支持具によって、貯蔵室内の商品の宣伝や価格を見やすく表示することができ、しかも樹脂扉外面への結露を防止若しくは抑制することにより貯蔵室内の視認性を向上させることができる。
【図面の簡単な説明】
【図１】本発明を適用した低温ショーケースの斜視図である。
【図２】本発明を適用した低温ショーケースの縦断側面図である。
【図３】本発明を適用した低温ショーケース上部の縦断側面図である。
【図４】補助レールを取り付けた状態の断熱箱体開口部の拡大縦断側面図である。
【図５】補助レールの取り付け作業を説明する断熱箱体開口部の拡大縦断側面図である。
【図６】天板部分の拡大縦断側面図である。
【図７】上面板にポップカード支持具を載置した状態を示す断熱箱体開口部の拡大縦断側面図である。
【図８】ポップカード支持具を複数使用した場合に樹脂扉との寸法関係を示す図７のＡ−Ａ線断面図である。
【符号の説明】
１  低温ショーケース
２  断熱箱体
２２  貯蔵室
４１  側板
４２  天板
４４  上部支持板
４６  反射板
５７  上面板
６４  開口
７３  樹脂扉
９０  ポップカード支持具
９１  ホルダー取付具
９２  ポップカードホルダー
９３  載置部
９４  傾斜部
９５  接合部
９６  挿入部
９７  差込部
９８  ポップカード
９９  断熱空間
１００  表示部
【図１】
0004097381.tif 000002
【図２】
0004097381.tif 000003
【図３】
0004097381.tif 000004
【図４】
0004097381.tif 000005
【図５】
0004097381.tif 000006
【図６】
0004097381.tif 000007
【図７】
0004097381.tif 000008
【図８】
0004097381.tif 000009